(57)【要約】【課題】座部に座る使用者を別の場所へ移乗する移乗作業を容易に行うことができる介護用椅子を提供する。【解決手段】浴室用椅子１０は、座部１２と背もたれ部１３とを備える。背もたれ部１３は、左右方向に横長状とされた背もたれクッション３２と、その背もたれクッション３２の裏面側に設けられた背もたれ支持部３１とを備える。背もたれクッション３２の表面４１には、使用者の背中を当てる背当て面としての第１面４１ａが含まれている。第１面４１ａは背もたれクッション３２の裏面に対して前後方向に傾斜した傾斜面となっている。背もたれクッション３２は、第１向きとその第１向きとは上下逆向きとされた第２向きとのそれぞれの向きで背もたれ支持部３１に着脱可能に取り付けられるようになっている。背もたれクッション３２が第２向きとされている場合には第１向きとされている場合よりも第１面４１ａが後方へ大きく傾斜されるようになっている。【選択図】図１
2020192039.tif 000002
【特許請求の範囲】
【請求項１】
使用者が座る座部と、
その座部に座る使用者が背もたれとして用いる横長の背もたれクッションと、
その背もたれクッションの裏面側に設けられ前記背もたれクッションを支持する背もたれ支持部と、を備え、
前記背もたれクッションの表面には、前記背もたれクッションの長手方向の中央部に形成され前記使用者の背中を当てるための背当て面が含まれており、
前記背当て面は、前記背もたれクッションの裏面に対して前後方向に傾斜した傾斜面とされており、
前記背もたれクッションは、第１向きと、その第１向きに対して上下逆向きとされた第２向きとのそれぞれの向きで前記背もたれ支持部に着脱可能に取り付けられるようになっており、
前記背当て面は、前記背もたれクッションが前記第２向きとされている場合には前記第１向きとされている場合よりも後方へ大きく傾斜されるよう形成されている、介護用椅子。
【請求項２】
前記背当て面は、その上下方向の長さが前記背もたれクッションの上下方向の長さの半分以上となっている、請求項１に記載の介護用椅子。
【請求項３】
前記背当て面は、前記背もたれクッションが前記第１向きとされている場合には前記背もたれクッションの下部に位置し、前記背もたれクッションが前記第２向きとされている場合には前記背もたれクッションの上部に位置するよう形成されている、請求項１又は２に記載の介護用椅子。
【請求項４】
前記背もたれクッションの前記表面は、その表面の外縁により囲まれる内側領域の全域に亘って形成されている、請求項１乃至３のいずれか一項に記載の介護用椅子。
【発明の詳細な説明】
【技術分野】
【０００１】
本発明は、介護用椅子に関する。
【背景技術】
【０００２】
従来より、高齢者や要介護者等が浴室で腰掛ける際に使用する浴室用の椅子が知られている。浴室用椅子は、使用者が座る座部と、使用者の背中を受ける背もたれ部とを備える。例えば特許文献１には、背もたれ部が、基板と、その基板の前面側に着脱可能に取り付けられた背もたれクッションとを備える構成が開示されている。この特許文献１の構成では、背もたれクッションの裏面に突部が設けられ、その突部が基板に形成された孔部に嵌め込まれることにより、背もたれクッションが基板に着脱可能に取り付けられている。
【０００３】
背もたれ部では、その背もたれクッションに使用者の背中を受ける背当て面が設けられている。背当て面は略鉛直方向に延びるように形成され、これにより、座部に座る使用者が座部から立ち上がる際、上下方向の重心移動がし易くなっている。そのため、使用者の立ち上がり動作がし易くなっている。
【先行技術文献】
【特許文献】
【０００４】
【特許文献１】特開２００３−４７５３５号公報
【発明の概要】
【発明が解決しようとする課題】
【０００５】
ここで、浴室用椅子を使用する使用者が、自ら立ち上がることができない状態である場合には、その使用者を浴室用椅子から別の場所へ移乗する必要が生じうる。その場合、その移乗作業をし易くするために、使用者の背中を後方に深く倒して使用者の足を上げ易くするのが望ましい。
【０００６】
しかしながら、浴室用椅子では、上述したように、背もたれ部の背当て面が略鉛直方向に延びているため、使用者の背中を後方に深く倒すことが難しいと考えられる。このため、使用者の移乗作業を行うのが困難であると考えられる。
【０００７】
なお、こうした問題は、浴室用椅子に限った問題ではなく、ポータブルトイレ等、背もたれを有する介護用椅子全般において生じうる問題である。
【０００８】
本発明は、上記事情に鑑みてなされたものであり、座部に座る使用者を別の場所へ移乗する移乗作業を容易に行うことができる介護用椅子を提供することを主たる目的とするものである。
【課題を解決するための手段】
【０００９】
上記課題を解決すべく、第１の発明の介護用椅子は、使用者が座る座部と、その座部に座る使用者が背もたれとして用いる横長の背もたれクッションと、その背もたれクッションの裏面側に設けられ前記背もたれクッションを支持する背もたれ支持部と、を備え、前記背もたれクッションの表面には、前記背もたれクッションの長手方向の中央部に形成され前記使用者の背中を当てるための背当て面が含まれており、前記背当て面は、前記背もたれクッションの裏面に対して前後方向に傾斜した傾斜面とされており、前記背もたれクッションは、第１向きと、その第１向きに対して上下逆向きとされた第２向きとのそれぞれの向きで前記背もたれ支持部に着脱可能に取り付けられるようになっており、前記背当て面は、前記背もたれクッションが前記第２向きとされている場合には前記第１向きとされている場合よりも後方へ大きく傾斜されるよう形成されている、ことを特徴とする。
【００１０】
本発明によれば、背もたれクッションの表面に、背もたれクッションの長手方向の中央部に形成された背当て面が含まれており、その背当て面が背もたれクッションの裏面に対して前後方向に傾斜した傾斜面とされている。また、背もたれクッションは上下に互いに逆向きとなる第１向き及び第２向きのそれぞれの向きで背もたれ支持部に着脱可能に取り付けられるようになっている。そして、背もたれクッションが第２向きで取り付けられる場合には第１向きで取り付けられる場合よりも背当て面が後方へ大きく傾斜されるようになっている。
【００１１】
かかる構成では、背もたれクッションを第１向きで取り付けることにより、背当て面の後方への傾斜を小さくすることができる。又は、背当て面を鉛直向きとすることができる。この場合、使用者が座部から立ち上がる際の上下方向の重心移動をし易くすることができるため、使用者の立ち上がり動作をし易くすることができる。また、背もたれクッションを第２向きで取り付けることにより、背当て面の後方への傾斜を大きくすることができる。この場合、使用者の背中を後方に深く倒すことができるため、使用者を座部から別の場所へ移乗する際使用者の足を上げ易く、その移乗作業を容易に行うことができる。
【００１２】
ところで、介護用椅子に、背もたれ部の傾斜角度を変更可能とする傾き変更機構を設け、その傾き変更機構により背もたれクッションの背当て面の後方への傾斜角度を大小変更させる構成も考えられる。その場合にも、上述した第１の発明の効果と同様の効果を得ることが可能となる。ただし、この場合、傾き変更機構を設けることで介護用椅子の構成が著しく複雑になることが考えられる。その点、背もたれクッションを上下反転させて取り付けることで背当て面の後方への傾斜を大小変更させるようにした上記第１の発明によれば、介護用椅子の構成が複雑になるのを抑制しながら、上述した効果を得ることが可能となる。
【００１３】
第２の発明の介護用椅子は、第１の発明において、前記背当て面は、その上下方向の長さが前記背もたれクッションの上下方向の長さの半分以上となっている、ことを特徴とする。
【００１４】
本発明によれば、背当て面を広く確保することができるため、使用者の立ち座りの際や移乗の際に背当て面により使用者の背中を好適に支えることができる。
【００１５】
第３の発明の介護用椅子は、第１又は第２の発明において、前記背当て面は、前記背もたれクッションが前記第１向きとされている場合には前記背もたれクッションの下部に位置し、前記背もたれクッションが前記第２向きとされている場合には前記背もたれクッションの上部に位置するよう形成されている、ことを特徴とする。
【００１６】
本発明によれば、背もたれクッションが第１向きとされている場合には背当て面が下部に位置する。この場合、使用者の腰高さにおいて後方への傾斜が小さくされた背当て面を位置させることができる。このため、座部からの立ち上がり動作をよりし易くすることができる。一方、背もたれクッションが第２向きとされている場合には背当て面が上部に位置する。この場合、使用者の背中の上側部分に後方への傾斜が大きくされた背当て面を位置させることができる。そのため、使用者の背中を後方へより倒し易くすることができる。
【００１７】
第４の発明の介護用椅子は、第１乃至第３のいずれかの発明において、前記背もたれクッションの前記表面は、その表面の外縁により囲まれる内側領域の全域に亘って形成されている、ことを特徴とする。
【００１８】
本発明によれば、背もたれクッションに貫通孔が形成されておらず、そのため背もたれクッションにおいて使用者の背中と向き合う表面を広く確保することができる。
【図面の簡単な説明】
【００１９】
【図１】浴室用椅子を斜め前方から見た斜視図。
【図２】浴室用椅子を斜め後方から見た斜視図。
【図３】浴室用椅子を示す平面図。
【図４】背もたれクッションを取り外した状態で浴室用椅子を斜め前方から見た斜視図。
【図５】（ａ）が背もたれクッションを斜め前方から見た斜視図であり、（ｂ）が背もたれクッションを斜め後方から見た斜視図である。
【図６】浴室用椅子を示す正面図であり、（ａ）が背もたれクッションが第１向きとされている状態を示し、（ｂ）が背もたれクッションが第２向きとされている状態を示している。
【図７】背もたれ部の構成を示す縦断面図であり、（ａ）が背もたれクッションが第１向きとされている状態を示し、（ｂ）が背もたれクッションが第２向きとされている状態を示している。
【発明を実施するための形態】
【００２０】
以下に、本発明を具体化した一実施の形態について図面を参照しつつ説明する。本実施形態では、本発明の介護用椅子を、浴室で用いられる浴室用椅子として具体化している。図１は浴室用椅子を斜め前方から見た斜視図である。図２は浴室用椅子を斜め後方から見た斜視図である。図３は、浴室用椅子を示す平面図である。以下の説明では、使用者が浴室用椅子に座った状態を基準として、前後左右をいうものとする。
【００２１】
図１〜図３に示すように、浴室用椅子１０は、脚フレーム１１と、その脚フレーム１１に取り付けられた座部１２及び背もたれ部１３とを備える。脚フレーム１１は、前脚フレーム１５と後脚フレーム１６とを有している。これら各脚フレーム１５，１６は金属製のパイプ材により形成されている。
【００２２】
前脚フレーム１５は、左右一対の前脚部１７と、それら各前脚部１７を連結して設けられる背もたれフレーム１８とを有している。各前脚部１７は、上方に向かうにつれ後方に傾斜するように延びており、その下端部には樹脂製のキャップ１９が取り付けられている。
【００２３】
背もたれフレーム１８は、背もたれ部１３が取り付けられる部分であり、座部１２よりも上方に延在させて設けられている。背もたれフレーム１８は、各前脚部１７からそれぞれ上方に延びる一対の縦フレーム部２１と、それら各縦フレーム部２１の上端部をつなぐ横フレーム部２２とを有している。各縦フレーム部２１は、各前脚部１７からそれぞれ上向きに後方傾斜して延びており、横フレーム部２２は、左右方向に水平に延びている。なお、背もたれフレーム１８と各前脚部１７とはパイプ材により一体形成されている。
【００２４】
後脚フレーム１６は、左右一対の後脚部２３を有している。各後脚部２３は、上方に向かうにつれ前方に傾斜するように延びており、その下端部には樹脂製のキャップ２４が取り付けられている。
【００２５】
なお、図示は省略するが、前脚フレーム１５と後脚フレーム１６とは互いに回動可能に連結され、その回動により、互いの下部同士が離間する開脚状態と、互いの下部同士が接近する閉脚状態とに移行可能となっている。
【００２６】
座部１２は、樹脂材料により形成された板状の座部本体２７と、その座部本体２７の上に取り付けられた座部クッション２８とを備える。座部本体２７は、脚フレーム１１に取り付けられている。また、座部クッション２８は、防水性を有するクッション材料により形成され、その上面が座面となっている。なお、図示は省略するが、座部１２は折り畳み可能とされている。
【００２７】
背もたれ部１３は、前脚フレーム１５の背もたれフレーム１８に取り付けられている。背もたれ部１３は、座部１２から上方に離間した位置に設けられ、背もたれフレーム１８の横フレーム部２２に取り付けられている。また、背もたれフレーム１８には、背もたれ部１３の他に、左右一対の肘掛け部２９が取り付けられている。各肘掛け部２９は、背もたれフレーム１８の各縦フレーム部２１にそれぞれ取り付けられている。
【００２８】
続いて、背もたれ部１３の構成について図１〜図３に加え、図４及び図５を用いながら説明する。図４は、背もたれクッション３２を取り外した状態で浴室用椅子１０を斜め前方から見た斜視図である。図５は、（ａ）が背もたれクッション３２を斜め前方から見た斜視図であり、（ｂ）が背もたれクッション３２を斜め後方から見た斜視図である。
【００２９】
図１〜図５に示すように、背もたれ部１３は、樹脂材料により形成された板状の背もたれ支持部３１と、その背もたれ支持部３１の前面側に取り付けられた板状の背もたれクッション３２とを備える。背もたれ支持部３１と背もたれクッション３２とは前後に重ね合わせられた状態で設けられている。背もたれ支持部３１と背もたれクッション３２とはいずれも左右方向に長い横長形状とされ、詳しくは左右方向に長い小判形の形状とされている。また、より詳しくは、背もたれ支持部３１と背もたれクッション３２とは、後方に凸となる緩やかな円弧状をなしている。
【００３０】
背もたれ支持部３１と背もたれクッション３２とは正面視において（換言するとそれら両者３１，３２の重なる方向から見て）互いの外縁形状が略同じであってかつ略同じ大きさとなっている。また、背もたれ支持部３１と背もたれクッション３２とは正面視において互いの外縁形状が上下対称となる形状となっている。
【００３１】
背もたれ支持部３１は、背もたれフレーム１８の横フレーム部２２に取り付けられている。背もたれ支持部３１は、横フレーム部２２の前方に配置され、その配置状態で横フレーム部２２に取付金具３４を用いて取り付けられている。この取付状態において、背もたれ支持部３１は、後方に傾斜した状態で配置されている。
【００３２】
背もたれクッション３２は、防水性を有するクッション材料により形成されている。背もたれクッション３２は、表面４１と裏面４２とを有している。背もたれクッション３２は、その裏面４２を背もたれ支持部３１の表面３１ａ（前面）に対向させた状態で、詳しくはその裏面４２を背もたれ支持部３１の表面３１ａに当接させた状態で配置されている。この場合、背もたれ支持部３１の表面３１ａは背もたれクッション３２を受けるクッション受け面となっている。また、背もたれクッション３２の裏面４２と背もたれ支持部３１の表面３１ａとはともに上下に向けて同じ方向に延びる面となっており、詳しくはともに後方に傾斜した傾斜面となっている。
【００３３】
背もたれクッション３２には、その厚み方向に貫通する孔部が設けられていない。換言すると、背もたれクッション３２には、表面４１にて開口する孔部が一切設けられていない。そのため、背もたれクッション３２の表面４１は、その表面４１の外縁により囲まれる内側領域の全域に亘って形成されている。また、背もたれクッション３２は、左右方向に対称となる形状を有している。
【００３４】
背もたれクッション３２の表面４１は、第１面４１ａと第２面４１ｂとを含んで形成されている。第１面４１ａは、背もたれクッション３２の長手方向の中央部に形成され、使用者の背中が当たる背当て面となっている。第１面４１ａは、背もたれクッション３２の短手方向（換言すると上下方向）の一方側に形成されている。また、第１面４１ａは、表面４１における上記一方側の端部を含んで形成されている。また、第１面４１ａは、上下方向の長さが背もたれクッション３２の上下方向の長さの半分以上となっている。
【００３５】
第２面４１ｂは、背もたれクッション３２の表面４１のうち第１面４１ａ以外の面となっており、第１面４１ａと連続して形成されている。第２面４１ｂは、概ね背もたれクッション３２の裏面４２と同じ方向に上下に延びる面となっている。このため、背もたれクッション３２において第２面４１ｂが形成されている範囲ではその厚みが概ね同じとされている。また、背もたれクッション３２の長手方向の中央部においては、第２面４１ｂが第１面４１ａと上下に並んでおり、それら上下に並ぶ各面４１，４２が互いに連続している（図７等も参照）。
【００３６】
第１面４１ａは、背もたれクッション３２の裏面４２に対して前後方向に傾斜した傾斜面とされている。第１面４１ａは、上下方向において第２面４１ｂとの境界部４３から第２面４１ｂとは反対側の端部に向けて裏面４２側に近づくように傾斜している（図７等も参照）。これにより、背もたれクッション３２において第１面４１ａが形成されている範囲では、その厚みが上記端部に向けて徐々に小さくなっている。したがって、背もたれクッション３２の厚みは上記端部において最小となっている。
【００３７】
また、第１面４１ａは第２面４１ｂに対して前後方向に傾斜した面となっている。このため、第１面４１ａと第２面４１ｂとの境界部４３では、これら各面４１ａ，４１ｂにより裏面４２とは反対側に凸となる凸部が形成されている。なお、第１面４１ａと第２面４１ｂとの境界部４３は、背もたれクッション３２の正面視にて、上下方向における第２面４１ｂ側に凸となる略円弧状に延びている（図６参照）。
【００３８】
背もたれクッション３２は、背もたれ支持部３１に着脱可能に取り付けられている。背もたれクッション３２の裏面４２には、背もたれ支持部３１側に突出する複数（具体的には２つ）の突部３６が設けられている。各突部３６は円柱状をなしており、左右方向に互いに離間して配置されている。また、各突部３６は、背もたれクッション３２の長手方向の中央部を基準として左右対称となる位置に配置されている。また、各突部３６は、背もたれクッション３２における短手方向（換言すると上下方向）の中央部に配置されている。
【００３９】
一方、背もたれ支持部３１には、背もたれクッション３２の各突部３６が嵌め込まれる複数（具体的には２つ）の孔部３７が設けられている。これらの孔部３７は円形状をなしており、背もたれ支持部３１を厚み方向に貫通している。なお、これらの孔部３７は背もたれ支持部３１の表面３１ａにおいて開口する有底の孔部であってもよい。
【００４０】
背もたれクッション３２は、各突部３６がそれぞれ背もたれ支持部３１の各孔部３７に前方から嵌め込まれることにより、背もたれ支持部３１に着脱可能に取り付けられている。これにより、本浴室用椅子１０では、背もたれクッション３２を背もたれ支持部３１から取り外して洗浄等することが可能となっている。
【００４１】
ここで、本浴室用椅子１０では、背もたれクッション３２を上下に反転させて背もたれ支持部３１に取り付けることが可能となっている。すなわち、背もたれクッション３２を、第１向きとその第１向きに対して上下逆向きとされた第２向きとのそれぞれの向きで背もたれ支持部３１に着脱可能に取り付けることが可能となっている。そこで、以下では、それら各向きで背もたれクッション３２を背もたれ支持部３１に取り付けた場合の構成について図６及び図７を参照しながら説明する。図６は浴室用椅子１０を示す正面図であり、（ａ）が背もたれクッション３２が第１向きとされている状態を示し、（ｂ）が背もたれクッション３２が第２向きとされている状態を示している。また、図７は背もたれ部１３の構成を示す縦断面図であり、（ａ）が背もたれクッション３２が第１向きとされている状態を示し、（ｂ）が背もたれクッション３２が第２向きとされている状態を示している。なお、図７（ａ）は図６（ａ）のＡ−Ａ線断面図に相当し、図７（ｂ）は図６（ｂ）のＢ−Ｂ線断面図に相当する。
【００４２】
まず、背もたれクッション３２が第１向きで背もたれ支持部３１に取り付けられる場合について図６（ａ）及び図７（ａ）に基づき説明する。
【００４３】
図６（ａ）及び図７（ａ）に示すように、背もたれクッション３２が背もたれ支持部３１に第１向きで取り付けられる場合には、第１面４１ａが背もたれクッション３２の下部に位置する。具体的には、この場合、背もたれクッション３２の長手方向の中央部では、背もたれクッション３２の下側に第１面４１ａが位置し、背もたれクッション３２の上側に第２面４１ｂが位置する。
【００４４】
背もたれクッション３２が第１向きとされている場合には、第１面４１ａが後方に若干傾斜した傾斜面とされる。詳しくは、第１面４１ａは上方に向けて後方に傾斜する傾斜面とされる。また、この場合、第２面４１ｂも、第１面４１ａと同様、後方に傾斜した傾斜面とされる。第２面４１ｂの後方への傾斜（傾斜角度）は第１面４１ａの後方への傾斜よりも大きくされる。
【００４５】
続いて、背もたれクッション３２が第２向きで背もたれ支持部３１に取り付けられる場合について図６（ｂ）及び図７（ｂ）に基づき説明する。
【００４６】
図６（ｂ）及び図７（ｂ）に示すように、背もたれクッション３２が背もたれ支持部３１に第２向きで取り付けられる場合には、第１面４１ａが背もたれクッション３２の上部に位置する。具体的には、この場合、背もたれクッション３２の長手方向の中央部では、背もたれクッション３２の上側に第１面４１ａが位置し、背もたれクッション３２の下側に第２面４１ｂが位置する。
【００４７】
背もたれクッション３２が第２向きとされている場合には、第１面４１ａが後方に傾斜した傾斜面とされる。この場合、第１面４１ａの後方への傾斜（傾斜角度）は、背もたれクッション３２が第１向きとされている場合における第１面４１ａの後方への傾斜（傾斜角度）よりも大きくされる。また、この場合、第２面４１ｂも、第１面４１ａと同様、後方に傾斜した傾斜面とされる。第２面４１ｂの後方への傾斜（傾斜角度）は第１面４１ａの後方への傾斜よりも小さくされる。
【００４８】
以上、詳述した本実施形態の構成によれば、以下の優れた効果が得られる。
【００４９】
背もたれクッション３２の長手方向の中央部に、使用者の背中を当てる背当て面を第１面４１ａとして設け、その第１面４１ａを背もたれクッション３２の裏面４２に対して前後方向に傾斜する傾斜面とした。また、背もたれクッション３２を上下に互いに逆向きとなる第１向き及び第２向きのそれぞれの向きで背もたれ支持部３１に着脱可能に取り付けられるようにした。そして、背もたれクッション３２が第２向きで取り付けられる場合には第１向きで取り付けられる場合よりも第１面４１ａが後方へ大きく傾斜されるようにした。
【００５０】
このような構成では、背もたれクッション３２を第１向きで取り付けることにより、第１面４１ａの後方への傾斜を小さくすることができる。この場合、使用者が座部１２から立ち上がる際の上下方向の重心移動をし易くすることができるため、使用者の立ち上がり動作をし易くすることができる。また、背もたれクッション３２を第２向きで取り付けることにより、第１面４１ａの後方への傾斜を大きくすることができる。この場合、使用者の背中を後方に深く倒すことができるため、使用者を座部１２から別の場所へ移乗する際使用者の足を上げ易く、その移乗作業を容易に行うことができる。
【００５１】
第１面４１ａの上下方向の長さを背もたれクッション３２の上下方向の長さの半分以上とした。この場合、背当て面となる第１面４１ａを広く確保することができるため、使用者の立ち座りの際や移乗の際に第１面４１ａにより使用者の背中を好適に支えることができる。
【００５２】
背もたれクッション３２が第１向きとされている場合には第１面４１ａが背もたれクッション３２の下部に位置し、背もたれクッション３２が第２向きとされている場合には第１面４１ａが背もたれクッション３２の上部に位置するようにした。かかる構成では、背もたれクッション３２が第１向きとされている場合には、使用者の腰高さにおいて後方への傾斜が小さくされた第１面４１ａ（背当て面）を位置させることができる。このため、座部１２からの立ち上がり動作をよりし易くすることができる。その一方、背もたれクッション３２が第２向きとされている場合には、使用者の背中の上側部分に後方への傾斜が大きくされた第１面４１ａ（背当て面）を位置させることができる。そのため、使用者の背中を後方へより倒し易くすることができる。
【００５３】
背もたれクッション３２の表面４１を、その表面４１の外縁により囲まれる内側領域の全域に亘って形成した。この場合、背もたれクッション３２に貫通孔が形成されていない状態とされているため、背もたれクッション３２において使用者の背中と対向する表面４１を広く確保することができる。
【００５４】
本発明は上記実施形態に限らず、例えば次のように実施されてもよい。
【００５５】
・上記実施形態では、第１面４１ａを背もたれクッション３２の上下方向の一部にのみ形成したが、第１面４１ａを背もたれクッション３２の上下方向の全域に亘って形成するようにしてもよい。
【００５６】
・上記実施形態では、背もたれクッション３２が第１向きとされている場合には第１面４１ａが後方に若干傾斜した状態とされていたが、背もたれクッション３２が第１向きとされている場合に第１面４１ａが後方に傾斜せず略鉛直の向きで延びるように配置されるようにしてもよい。この場合にも、背もたれクッション３２が第１向きとされている場合には、使用者が座部１２から立ち上がる際の上下方向の重心移動をし易くすることができるため、その立ち上がり動作をし易くすることができる。なお、この場合にも、上記実施形態と同様、背もたれクッション３２が第２向きとされている場合には第１向きとされている場合よりも後方に大きく傾斜されるようにする。
【００５７】
・上記実施形態では、背もたれクッション３２に突部３６を設け、背もたれ支持部３１に孔部３７を設けたが、これを逆にして、背もたれ支持部３１に突部を設け、背もたれクッション３２に孔部を設けてもよい。すなわち、背もたれ支持部３１の表面３１ａに背もたれクッション３２側に突出する突部を設け、背もたれクッション３２にその突部が嵌め込まれる孔部を設けてもよい。この場合、背もたれクッション３２の孔部に背もたれ支持部３１の突部を嵌め込むことで、背もたれクッション３２を背もたれ支持部３１に着脱可能に取り付けることができる。なお、この場合には、背もたれクッション３２の孔部を裏面４２においてのみ開口する有底の孔部とするのが望ましい。
【００５８】
・上記実施形態では、突部３６と孔部３７との嵌め込みにより、背もたれクッション３２を背もたれ支持部３１に着脱可能に取り付けるようにしたが、背もたれクッション３２を背もたれ支持部３１に着脱可能に取り付ける構成は必ずしもこれに限らない。例えば、背もたれクッション３２と背もたれ支持部３１との対向部分に面ファスナを設け、その面ファスナを用いて背もたれクッション３２を背もたれ支持部３１に着脱可能に取り付けるようにしてもよい。
【００５９】
・上記実施形態では、本発明の背もたれ構造を浴室用椅子１０に適用した場合について説明したが、本発明の背もたれ構造は背もたれ部を有する介護用椅子全般に適用することが可能である。こうした介護用椅子としては、浴室用椅子の他に、例えば高齢者や要介護者等が排泄する際に利用するポータブルトイレが挙げられる。ポータブルトイレには、座部と、背もたれ部とを備えているものがある。こうしたポータブルトイレを使用する使用者が自ら立ち上がることができない場合には、やはり使用者を別の場所へ移乗させる作業が発生することになる。そのため、こうしたポータブルトイレに、本発明の背もたれ構造を適用すれば、使用者の移乗作業を容易にすることができる。
【符号の説明】
【００６０】
１０…浴室用椅子、１１…脚フレーム、１２…座部、１３…背もたれ部、３１…背もたれ支持部、３２…背もたれクッション、４１…表面、４１ａ…第１面、４１ｂ…第２面。
【図１】
2020192039.tif 000003
【図２】
2020192039.tif 000004
【図３】
2020192039.tif 000005
【図４】
2020192039.tif 000006
【図５】
2020192039.tif 000007
【図６】
2020192039.tif 000008
【図７】
2020192039.tif 000009